(57)【要約】      （修正有）【課題】カラオケ装置のリモコンとして利用者の多機能携帯端末等を利用する、カラオケネットワークシステムを提供する。【解決手段】利用者のカラオケ利用単位として「セッション」を定義し、カラオケ利用開始時にセッションＩＤを通知し、終了時にこれを無効化する手段を設ける。利用者のカラオケ利用開始時にセッションＩＤを含むカラオケ識別情報を利用者の多機能携帯端末４等に伝達し、その多機能携帯端末等とカラオケ室１２にあるカラオケ装置１とのペアリングを行うことにより、利用者の多機能携帯端末等がセッション終了までの間、その特定のカラオケ装置１のみと通信できるリモコン装置となる。利用者がカラオケ室１２利用終了時にはセッションＩＤを無効化することにより、リモコン装置としての機能は終了し、それ以後はカラオケ装置１の制御ができなくなる。【選択図】図１
2014130300.tif 000002
【特許請求の範囲】
【請求項１】
入会者に対し差別化したサービスを提供し、あらかじめ会員所有のリモコン端末装置の会員識別情報が登録されたサーバ装置と複数のカラオケ装置がネットワークで接続されてなり、さらに前記ネットワークを経由して、個々の前記カラオケ装置とカラオケ装置を操作する任意数の前記リモコン端末装置とを接続し、利用単位を特定するセッションで対応付けるネットワークカラオケシステムであって、
個々の前記カラオケ装置の利用単位を特定するセッションＩＤを更新・発行する切替指示受付手段、
当該カラオケ装置を特定するためのカラオケ装置ＩＤと当該カラオケ装置におけるその時点で有効なセッションＩＤを含むカラオケ識別情報をリモコン端末装置に伝える伝達手段、
前記リモコン端末装置から、前記識別情報に基づき、指定する前記カラオケ装置に向けて送信される前記カラオケ識別情報と前記会員識別情報と関連付けられた当該リモコンＩＤとを含むリモコン識別情報を受信するリモコン信号受信手段、
当該リモコン信号受信手段によって受信したリモコン識別情報に基づいて、当該カラオケ装置と前記リモコン端末装置の対応付を制御する制御手段とを有し、
前記制御手段は、前記リモコン信号受信手段で受信した前記リモコン識別情報に基づき、特定された前記リモコン端末装置と前記カラオケ装置との接続許可を確立し、許可確立時のセッションＩＤが有効な間、接続許可を維持するとともにリモコン識別情報に含まれる会員識別情報に基づき前記サーバ装置に照会し、会員専用のサービスを提供することを特徴とするネットワークカラオケシステム。
【請求項２】
前記制御手段は、前項の会員専用サービスのひとつとしてあらかじめ会員利用者がサーバ装置へアップロードした会員のオリジナルコンテンツをカラオケ装置にダウンロード等ができることを特徴とする請求項１記載のネットワークカラオケシステム。
【請求項３】
前項の会員のオリジナルコンテンツのダウンロードサービスのひとつとして、ダウンロードしたオリジナルコンテンツをカラオケ演奏の際の背景映像として使用できることを特徴とする請求項２記載のネットワークカラオケシステム。
【発明の詳細な説明】
【技術分野】
【０００１】
入会者に対し差別化したサービスを提供し、カラオケのリモコンとして動作する会員利用者の多機能携帯端末とカラオケ装置との間のペアリングを、利用者の入室から退室までの間の利用単位（セッション単位）のみで利用できるネットワークカラオケシステムの技術に関する。  
【背景技術】
【０００２】
最近のカラオケシステムは、高機能化が著しく、便利になって来ている反面、操作が複雑になってきており、これに伴いリモコンも高機能化してきている。
特にカラオケルームに設置してある専用のリモコンは、ボタン類が多く使い方がよくわからないなどの問題があった。そのため、使い慣れていないとボタン操作に時間がかかって歌う時間が少なくなってしまうことも多かった。
【０００３】
また、通常カラオケ室には、リモコンが少数しかないのが一般的であり、他の人が選曲している間は、リモコンが使用できないという不便さがあった。
【０００４】
また、店に設置してあるリモコンは様々な人が操作するため、必ずしも清潔とはいえないという一面もあった。
【０００５】
一方で、誰もが携帯電話を持つ時代となり、さらにスマートフォン等の普及により、これら携帯電話に各種ソフトウエアを入れて楽しむ人も増えている。スマートフォンのソフトウエア開発環境も充実してきており、開発者も増えてきている。
【０００６】
そこで、使い慣れた自分の多機能携帯端末等を使ってカラオケの操作を行いたいという要望が生じてきた。またカラオケの専用リモコンは業務用のため高価なものであり、カラオケ店としても、専用リモコンを設置する必要がなくなれば経費の節約になり、またリモコンの盗難防止、保守といった管理作業もなくなるため店にも喜ばれる。
【０００７】
さらに利用者が入力する情報、または利用者の多機能携帯端末が記憶する情報をもとに会員ログインすることで、会員専用のサービスを受けることができる。また、スマートフォンのもつ操作の容易性と入店前にあらかじめ歌いたい曲を登録できるというメリットもある。
【０００８】
そこで、利用者の多機能携帯端末等をカラオケのリモコンとして使用する提案が各社から行われている。（特許文献１乃至４参照）
【０００９】
しかし、ここで利用者が所有する携帯端末を近距離無線方式によりカラオケのリモコンとして使用させた場合、他の部屋のカラオケ機器を制御してしまわないように、利用者の携帯端末が制御できるカラオケ機器を特定しておく必要がある。
また、たとえばその利用者の使用時間終了後などに店外から携帯端末を操作することにより、店内のカラオケ装置を制御されてしまう恐れがある。
【先行技術文献】
【特許文献】
【００１０】
【特許文献１】特開２０１２−０５３４０９号公報
【特許文献２】特許３９０４９８９号公報
【特許文献３】特開２０１２−４７７７３号公報
【特許文献４】特開２０１２−２１２０１６号公報
【発明の概要】
【発明が解決しようとする課題】
【００１１】
特許文献１は、携帯端末をカラオケのリモコンとして使用する例である。携帯情報端末の通信範囲内に複数のカラオケ装置があった場合でも特定の1台と接続できる技術である。しかし利用時間終了後の接続や切断処理については記述がない。
【００１２】
さらに特許文献２では、近距離無線通信手段を使用した携帯電話をリモコンとして使う方法であるが、主に選曲操作について述べられており、カラオケ利用終了後店外からの悪意のある制御への対策には言及していない。実施する際には何らかの対処が必要になると思われるが特許公報に記載はない。
【００１３】
特許文献３は、リモコンとカラオケ装置に関してペアリングを行っているが、これはカラオケの開局処理で行うもので、利用者の入店毎にペアリングを行う本発明とは課題は異なっている。
【００１４】
特許文献４は、パーソナル携帯端末をカラオケのリモコンとして使用する発明であり、期限データを発行し選曲管理情報（期限データ及び演奏端末ＩＤ）を管理、携帯電話網及びインターネットを介してカラオケサーバに選曲管理情報及び楽曲ＩＤを送信するものである。選曲管理情報に含まれる期限データを確認し、期限が終了していない場合のみに、選曲管理情報と共に受信した楽曲ＩＤをカラオケ演奏端末に転送、転送されてきた楽曲ＩＤに基づく選曲予約を行わせるものとなっている。
しかし、「期限データ」で利用できる時間を限定していることから、時間が短ければ、利用途中で使用できなくなる不便があり、長めであれば利用終了後に不正に制御される危険がある。また、選曲予約の度にサーバへの問い合わせを行って期限データを入手している為ネットワークアクセスも頻繁になり、多数の利用者がカラオケ利用時には、選曲予約時にサーバからの応答を待つ時間が発生する。また何らかの理由でネットワークにアクセスできない場合はパーソナル携帯端末をリモコンとして利用できない。
【００１５】
本発明は、これらの点に鑑み、カラオケのリモコンとして動作する利用者の多機能携帯端末等とカラオケ装置との間のペアリングを、利用者の入室から退室までの間の利用単位（セッション単位）で利用でき、さらに利用者が入力する情報、または利用者の多機能携帯端末が記憶する情報をもとに会員ログインして、会員専用のサービスを提供できるネットワークシステムを実現することを目的とする。
【課題を解決するための手段】
【００１６】
上記目的を達成するため本発明の請求項1は、利用者のカラオケ利用単位として「セッション」を定義し、カラオケ利用開始時にセッションＩＤを通知し、終了時にこれを無効化する手段を設ける。利用者のカラオケ利用開始時にセッションＩＤを含むカラオケ識別情報を利用者の多機能携帯端末等に伝達し、その多機能携帯端末等とカラオケ室にあるカラオケ装置と会員情報に依拠しないペアリングを行うことにより、利用者の多機能携帯端末等がセッション終了までの間、その特定のカラオケ装置のみと通信できるリモコン装置となる。ペアリング自体が会員情報に依拠しないという点で特許文献１とは異なる。利用者がカラオケ室利用終了時にはセッションＩＤを無効化することにより、リモコン装置としての機能は終了し、それ以後はカラオケ装置の制御ができなくなるというものである。
加えて、多機能携帯端末と利用者の会員情報と関連させることにより使用している利用者を特定し、会員専用のサービスを提供することができる。
【００１７】
請求項２は、請求項１において、会員サービスのひとつとして、サーバ装置への会員のオリジナルコンテンツのアップロードを可能にし演奏時に個々のカラオケ機器にダウンロードさせるものである。
【００１８】
請求項３は、請求項２のオリジナルコンテンツのダウンロードサービスのひとつとして、カラオケ装置にダウンロードした会員のオリジナルコンテンツをカラオケの背景映像に使用できるというものである。
【発明の効果】
【００１９】
本発明によると、利用者がカラオケ室入室時に、自分の多機能携帯端末等を特定のカラオケ装置とペアリングすることで、入室から退室まで一貫してそのカラオケ装置の専用リモコンとして利用できる。カラオケ使用中は、自分の多機能携帯端末をリモコンとして使用することにより、ネットワークカラオケシステムの会員にログインすることで様々なサービスを受けることができる。その後カラオケ利用終了時には、ペアリングが解除されリモコン装置としての機能は終了するとともに会員サービスからもログアウトされ、それ以後は利用者の多機能携帯端末等からはカラオケ装置の制御ができなくなるというものである。
【図面の簡単な説明】
【００２０】
【図１】本発明の一実施例を示すネットワーク接続を示す説明図。
【図２】本発明の請求項２に係る実施例を示すフロー図。
【発明を実施するための形態】
【００２１】
本発明では、カラオケ装置１のリモコンとなる多機能携帯端末４による制御を利用単位で許可するためのセッションＩＤを更新・発行する切替受付手段が設けられている。
この切替受付手段は、カラオケ装置１本体にリセットボタン３として設けられ、このリセットボタン３を押すごとに、使用していたセッションＩＤが無効になり新たなセッションＩＤが発行されるようになっている。
【００２２】
次に図１のネットワーク接続図によって、本発明の多機能携帯端末４とカラオケ装置１の接続技術を説明する。
店舗内にはセンターからの通信回線と接続するルータ５があり、カラオケ室のカラオケ装置１が接続されている。またリモコンとなる多機能携帯端末４がアクセスポイント９を経由してルータ５に接続されている。
利用者はカラオケ利用開始時に、セッションＩＤを含むカラオケ識別情報を受け取り自ら保有する多機能携帯端末４に読み込ませる。その上で利用者は、自分の多機能携帯端末４と当該カラオケ装置１との間でペアリングを行い、当該多機能携帯端末４は当該カラオケ装置専用のリモコン装置となり、当該カラオケ装置１を制御できるようになる。
このとき、この利用者があらかじめネットワークカラオケシステム会員に登録されている場合、会員ログインすることにより使用している利用者を特定し、会員専用のサービスを提供することができる。
カラオケの利用が終了したときには、店員はカラオケ室の当該カラオケ端末１のリセットボタン３を操作することにより、利用者の多機能携帯端末４とカラオケ装置１とのペアリングは解消され会員サービスからもログアウトされ、もはや利用者の多機能携帯端末４では、店のカラオケ装置１を制御できなくなる。
【００２３】
次に図２で、請求項３記載の会員オリジナルコンテンツをカラオケの背景映像として使用する実施例の操作フローを示す。
（１）利用者がネットワークカラオケ会員に入会
（２）利用者が自宅環境等で、事前に持ち歌をサーバに登録。
（３）利用者が自宅環境等で、事前にカラオケ演奏時に使用したいオリジナル背景映像をサーバに登録。
（４）利用者が自宅環境等で、持ち歌と、その曲のカラオケ演奏時に使用したいオリジナル背景映像の対応付けをサーバに登録。
（５）カラオケ室に入室。表示装置６に表示されているセッションＩＤを利用者のスマートフォン（多機能携帯端末４  以下同じ）で読み込む。
（６）スマートフォンを操作してカラオケ装置とスマートフォンをペアリングする。
（７）ネットワークカラオケシステムの会員サービスにログイン
（８）スマートフォンに持ち歌リストを表示
（９）あらかじめオリジナル背景映像を対応付けた持ち歌を選択
（１０）演奏予約
（１１）予約内容を送信するとダウンロードが開始される。
（１２）予約した曲の順が廻ってくるとオリジナル背景映像で演奏開始。
（１３）終了しない場合は（８）へ戻って次の曲を予約。
（１４）終了する場合は退室。このときカラオケ装置１のリセットボタン３の押下で、スマートフォンとカラオケ装置１とのペアリングは解消され、ネットワークカラオケシステムの会員サービスからログアウトし、その後は利用者のスマートフォンからカラオケ装置の制御はできない。
【産業上の利用可能性】
【００２４】
カラオケの利用に際して、利用者の所有する多機能携帯端末とカラオケ装置をペアリングして、一時的にカラオケの専用リモコンとして使用し、ネットワークカラオケシステム会員サービスにログインすることでその利用者に特化したサービスを実現できる。利用者の利用終了後には、ペアリングが解除されるため、使用終了後の店舗外から悪意または誤ってカラオケ装置を制御されることを防止できる。また、そのとき会員サービスもログアウトされるため、会員の個人情報を他ユーザへ開示することを防止できる。
【符号の説明】
【００２５】
１…カラオケ装置
２…受付端末装置
３…リセットスイッチ
４…多機能携帯端末
５…ルータ
６…表示装置
７…ハブ
８…アクセスポイント
９…アクセスポイント
１０…インターネット
１１…店舗
１２…カラオケ室
１３…専用サーバ
１４…利用者環境（宅内／モバイル等）
１５…パソコン／スマートフォン
１６…ルータ
１７…ルータ
【図１】
2014130300.tif 000003
【図２】
2014130300.tif 000004